(57)【要約】      （修正有）【課題】手を離して通話したり、首や肩に掛けて保持したり、掛けたままメール操作や機体操作をする。【解決手段】前部に被係止部１を設けた首輪２に、外辺に被係止部１が係止自在の係止部４を設け更に、外辺に、外辺上位の両側部を結ぶ吊体５を張設した携帯電話の収納袋３を、着脱昇降自在に取り付け出来るようにした携帯電話の保持具であり、さらに首輪２と、外辺上位に吊体５を張設した収納袋３と、これらの間に介設した昇降自在の継ぎ手（蝶動盤・伸縮自在継ぎ手）とで、構成される。【選択図】図２
0003102308.tif 000002
【実用新案登録請求の範囲】
【請求項１】
前部に被係止部１を設けた首輪２に、外辺に被係止部１が係止自在の係止部４を設け更に外辺に吊体５を張設した収納袋３を、着脱自在に取り付け出来るようにした携帯電話の保持具。
【請求項２】
首輪２と、外辺に吊体５を張設した収納袋３と、これらの間に介設した昇降自在の継ぎ手とで、構成される携帯電話の保持具。
【考案の詳細な説明】
【考案の詳細な説明】
【技術分野】
【０００１】  この考案は、携帯電話を、首・肩に掛けて保持したり、手を離して通話が出来る器具に係るものであり、詳しくは携帯電話の保持具に関するものである。
【背景技術】
【０００２】  従来、馬蹄形等の首・肩に掛けて使用する保持具を使用して携帯電話を耳の近くに保持するのには、ホルダーを介在させたものが知られている。（例えば特願平１０−８４８８５、特願平１０−３１８２８７）
【考案が解決しようとする課題】
【０００３】  従来の技術で述べたホルダーの介在は使用に複雑でかさ張り、取り外し保管に不便であった。  また、携帯電話が容器ごと身体から外せなかったり、反対に必要時に即容器ごと身体に付けられなかった。
本考案は、従来の技術の有するこのような問題点に鑑みてなされたものであって、首輪と、収納袋とを組み合わせた携帯電話のハンドフリー保持具を提供しようとするものである。
【課題を解決するための手段】
【０００４】  上記目的を達成するために、本考案における携帯電話の保持具は、前部に被係止部１を設けた首輪２に、外辺に被係止部１が係止自在の係止部４を設け更に、外辺に、外辺上位の両側部を結ぶ吊体５を張設した携帯電話の収納袋３を、着脱昇降自在に取り付け出来るようにした携帯電話の保持具であり、
さらに首輪２と、外辺上位に吊体５を張設した収納袋３と、これらの間に介設した昇降自在の継ぎ手（蝶動盤１７・伸縮自在継ぎ手１８）とで、構成される携帯電話の保持具である。
【０００５】  首輪２は少なくとも、金属・合成樹脂等の弾性材が単独又は複合して構成される線・帯・管又はこれらを組み合わせ必要に応じて図面４に示すとおり表面に滑り止めを設けた全体の形が馬蹄形又は輪形で、首の後部に当たる位置には必要に応じて首が引っ掛かる湾曲凹部６を設けてあり、
【０００６】  首・肩を越えて前方に突き出した首輪２の片側前端部に図１の腕や枠・穴あき板その他適宜意匠形状（図５ｂ，ｃ・図６ｂ参照）の、収納袋係止用被係止部１を設けてあり、首輪２の所要箇所には吊体５が係止自在である被係止駒７が首輪２と摺動自在に填め込まれている。従って吊体５は被係止部１と被係止駒７と双方に切り替えて掛けられる。  なお被係止部１は首輪２の両端に設けても差し支えない。
【０００７】  一方、携帯電話の収納袋３は、携帯電話が縦に上から挿入出来る袋体で、袋外辺の底縁部・底辺部その他所要箇所に、前記被係止部１が係止自在なる係止部４と、当該袋の上端部に上端部両側端を繋ぐ帯・鎖等の吊体５が鋲着又は結着するようにして、設けてある。
吊体５は収納袋３との両繋ぎ点を中心に自由に動けるようにしてあり、吊体５は被係止駒７又は首輪２の高部にに引っかけ、携帯電話を吊り支えられる所要長さとしてあり、必要に応じて、弾性体・紐状体としたり、左右の長さが調整出来る吊体の長さ調整部１２（図１２）を填め込んである。
【０００８】  そして、収納袋３の下部の所要箇所には音声が通り抜けられる小穴８又は網が適数個設けてある。（図１２）
【０００９】  このような構成なるため、首輪２を首・肩に掛け、胸の前に来た被係止部１に、二つ折りにした携帯電話を収納した収納袋３の吊体５を掛ければ、１３図ａのように携帯電話が胸に保持出来、不要の時は取り外し首輪２だけを身体に目立たぬように装着出来る。
そして、吊体５の輪を首輪２に通しながら、携帯電話を入れた収納袋３を所要の高さに持ち上げ被係止駒７に引掛け、被係止部１を係止部４に係止し、携帯電話を開いて収納袋３内に立てれば、１３図ｃのように手を離しての通話が可能になる。  同様に、蝶動盤１７・伸縮自在継ぎ手１８で収納袋３を上方に引き上げても吊体５で固定出来る。
【考案実施の形態】
【００１０】  図１図２のように、単数の被係止部１に収納袋３の鉤状の係止部４をはめ込んで収納袋３を上昇位置に保持出来、被係止部１の工作が簡単に出来る。
【１０１１】  図３のように、収納袋３外辺上端部より舌片９を垂設し、舌片９と収納袋３との間の所要箇所に面着ファスナー１３を取り付けて、透き間１０が上下位置に構成されるようにし、被係止部１が、収納袋３の頂部と底部を移動して係止出来るようにする。  なお、収納袋３は取り外し舌片９が開閉するのでベルトに通して使用出来る。
【１０１２】  図５のように、被係止部１を多段とし、これに係止部４が随意の高さで、引っかけるようにしても良い。反対に係止部４を多段としても良い。
【１０１３】  図６のように、収納袋３に断面Ｃ状の縦枠１４を取り付け、これに褶動自在に嵌まり合う帯盤状の被係止部１に適数の切欠１５を設け、縦枠１４の側辺に切欠１５に嵌まり合うバネ付き固定用棒１６を通し、被係止部１を縦枠１４中に昇降させ、固定用棒１６を出し入れしで高さを調節固定する。これと反対に縦枠１４を首輪２に、切欠１５を入れた被係止部１を収納袋３側に取り付けても良い。
【１０１４】  図７のように、首輪２の先端に、必要に応じて着脱自在の蝶部を両端に設けた蝶動盤１７の内端を蝶着し、その外端に収納袋３を着脱蝶動自在に取り付ける。
下がった収納袋３を折り畳めば首輪２の高所に移り吊体５を首輪２に掛けて固定出来る。    蝶動盤１７は上下いずれか一方の蝶部のみを着脱自在にしても、両方の蝶部を取り外せないようにしても良い。
【１０１５】  図８のように、首輪２と収納袋３との間に、伸縮自在の多関節の伸縮自在継ぎ手１８を必要に応じて取り付け取り外し自在に入れ、収納袋３を所要の高さに調節し吊体５を首輪２に掛ければ携帯電話を固定出来る。
【１０１６】  図９のように、収納袋３に上下スライド軸受けを設ける。図９ａのようにスライド軸受け１９に直接首輪２を嵌めても、図９ｂのようにフレキシブルチューブ２０に嵌めても良く、吊体５を首輪２に掛けて携帯電話が固定出来る。。
【１０１７】  図１０ａのように、被係止部１と係止部４とに、互いに嵌まり合う嵌合穴２１と嵌合ピン２２を設ける。持ち上げた収納袋３が水平回転自在となり携帯電話を通話し易い向きに調整出来る。
また図１０ｂのように面着テープ２３で帯２４を開閉自在に取り付け、帯２４で被係止部１を抑えても良い。
【１０１８】  図１１のように、係止部４を水平回転軸付き鉤２５とし、収納袋３を水平回転自在にすれば、携帯電話を通話し易い向きに調整出来る。
【１０１９】  図１２のように、吊体５を二本に別け又はそのままで、それぞれ独立しで長さが調整が出来るように分割し、きつめの穴を開けた長さ調整部１２内に通し、吊体５の長さを調節して携帯電話を通話し易い向きに調整出来る。
【考案の効果】
【００２０】  携帯電話の使用法にには、通話と画面操作と携帯電話本体を読み取り装置等に近付ける機体操作の三方法がある。従ってスムースに耳に近付けたり耳から離し画面を見たり身体から離す必要がある。
請求項１はこれらを解決するもので、携帯電話を収納袋３へ出し入れし通話したり画面を観たり機体操作したり、収納袋３を上昇させてハンドフリーで通話したり、不要時には携帯電話を首輪２から収納袋３ごと取り外したり出来、これら操作が簡単に切り替え出来る。  そして、これらの操作は吊体５を被係止部１又は首輪２に引っ掛けた状態で出来るので、落下事故が防止出来る。
請求項２の保持具ではより簡単確実に、収納袋３の昇降が出来る。
【図面の簡単な説明】
【図１】  携帯電話を保持した全体の斜視図である。
【図２】  ハンドフリー通話時の全体の斜視図である。
【図３】（ａ、ｂ、ｃ）  収納袋３と被係止部１の接続を示す部分斜視図である。
【図４】  首輪２の断面図を含む部分斜視図である。
【図５】（ａ、ｂ、ｃ）  収納袋３と被係止部１の部分斜視図である。
【図６】（ａ、ｂ）  収納袋３と被係止部１の部分斜視図である。
【図７】（ａ、ｂ）  収納袋３と蝶動盤１７の部分斜視図である。
【図８】  収納袋３と伸縮自在継ぎ手１８の部分斜視図である。
【図９】（ａ、ｂ）  首輪２と収納袋３の取り付け部分斜視図である。
【図１０】（ａ、ｂ）  収納袋３と被係止部１の取り付け部分斜視図である。
【図１１】  収納袋３と被係止部１の取り付け部分斜視図である。
【図１２】  収納袋３と長さ調整部１２・小穴８の部分斜視図である。
【図１３】（ａ、ｂ、ｃ）  使用法を示す全体の斜視図である。
【符号の説明】
１、被係止部
２、首輪
３、収納袋
４、係止部
５、吊体
６、湾曲凹部
７、被係止駒
８、小穴
９、舌片
１０、透き間
１１、携帯電話
１２、長さ調整部
１３、面着ファスナー
１４、縦枠
１５、切欠
１６、固定用棒
１７、蝶動盤
１８、伸縮自在継ぎ手
１９、軸受け
２０、フレキシブルチューブ
２１、嵌合穴
２２、嵌合ピン
２３、面着テープ
２４、帯
２５、水平回転軸付き鉤
【図１】
0003102308.tif 000003
【図２】
0003102308.tif 000004
【図３】
0003102308.tif 000005
【図４】
0003102308.tif 000006
【図５】
0003102308.tif 000007
【図６】
0003102308.tif 000008
【図７】
0003102308.tif 000009
【図８】
0003102308.tif 000010
【図９】
0003102308.tif 000011
【図１０】
0003102308.tif 000012
【図１１】
0003102308.tif 000013
【図１２】
0003102308.tif 000014
【図１３】
0003102308.tif 000015